(57)【特許請求の範囲】
【請求項１】
２枚のＤＶＤやＣＤなどのディスクを収納することが出来る収納ケースにおいて、ケース本体の側縁には鉄心を軸とした継手を介して開閉する蓋体、同じくケース本体の側縁に継手を介して開閉する仕切り板を有し、該蓋体の中央部にはディスク中央穴に嵌るヘソを設け、仕切り板の中央部にもディスク中央穴に嵌るヘソを形成し、閉じた仕切り板とケース本体の底部との間には歌詞カードなどが収容される底部空間を設け、仕切り板と蓋体との間には２枚のディスクが収納される上部空間を設け、そして、蓋体が開かないようにロックするロックプレートを側部開口から挿入し、ロックプレートに設けたロックツメをケース側に設けた係止部に係止し、該ロックプレートを引き抜く際には磁石などの解除具を使用して上記ロックツメを係止部から解除可能としたことを特徴とするレンタル又は販売用のディスク収納ケース。
【請求項２】
上記仕切り板にはケース本体側に設けた係止片に係止するツメを設けた請求項１記載のレンタル又は販売用のディスク収納ケース。
【請求項３】
上記仕切り板には開く為の指掛け部を上方へ突出して設けた請求項１、又は請求項２記載のレンタル又は販売用のディスク収納ケース。
【発明の詳細な説明】
【技術分野】
【０００１】
本発明はＣＤ、ＤＶＤ、ゲームソフト等の円盤状記録媒体を２枚収容し、しかも歌詞カードなども仕切り板を介して底部に収納することが出来るケースに関するものである。
【背景技術】
【０００２】
ＣＤやＤＶＤ等の円盤状記録媒体はその外形を薄い円盤形とし、中心には小さな円形穴が貫通して設けられている。そして、該円盤状記録媒体は厚さの薄い収納ケースに収納されているが、該収納ケースはベース側最広面を持つ箱型形状のケース本体とカバー側最広面を持つ蓋体から成っている。蓋体は継手を介してケース本体に繋がっていて、ケース本体を被覆することが出来る。勿論、上記継手を持たないカバーケースもあり、又引出し型式で本体が引き出されるような形態の収納ケースもある。
【０００３】
ところで、円盤状記録媒体(ディスク)はケース本体のベース中央部に突出して設けられる保持部(ヘソ)がディスクの中央に設けている穴に嵌ることで取付けられる。該保持部(ヘソ)の形態は色々知られているが、穴に嵌って取付けられたディスクがガタ付くことなく安定し、勿論、外れることなく、しかし、取外す際には取外し易いように機能することが求められる。
【０００４】
一方、ＣＤやＤＶＤは２枚で１組とされる場合も多く、２枚のディスクを収納できるケースが用いられている。従来の２枚組みケースは１枚用のケースに比較してその厚さは約２倍となり、嵩張ってしまう。そこで、出願人はケースの厚さを抑えると共にディスクの着脱が容易で、しかも外れにくい収納ケースを開発して、平成１５年２月２１日付けで特許出願を行っている。
【０００５】
これは、特開２００４−２５００７５号に係る「レンタル又は販売用記録媒体の収納ケース」であり、ＣＤ等の円盤状記録媒体を収容する収納ケースにおいて、本体のベース面中央部には円盤状記録媒体の中央穴に嵌る複数の係合ツメを起立し、同じく蓋のベース面中央部には別の円盤状記録媒体の中央穴に嵌る複数の係合ツメを起立し、蓋を閉じた場合には本体ベース面に起立した係合ツメと蓋のベース面に起立した係合ツメが互いに噛み合って中心側へ撓み変形することを阻止するようにしている。そして、ベース面にＬ型の押え片を突出して形成し、この押え片とベース面に設けた受け片との間にチャプターシート等を挟み込むことが出来る構造となっている。
【０００６】
しかし、該収納ケースに設けている押え片と受け片にて挟まれる紙片はあくまでもチャプターシートであり、分厚い歌詞カードのようなものは挟むことが出来ない。それにチャプターシートが挟まれていることで、ディスクの取出しが面倒である。すなわち、ディスクを取出す場合及び取付ける場合にはチャプターシートを外さなくてはならない。
【特許文献１】特開２００４−２５００７５号に係る「レンタル又は販売用記録媒体の収納ケース」
【発明の開示】
【発明が解決しようとする課題】
【０００７】
このように、２枚組みディスクの収納ケースであって、これに歌詞カードなどを収容するには上記のごとき問題がある。本発明が解決しようとする課題はこの問題点であり、厚さを抑えると共に歌詞カードを収容する空間を備え、しかしディスクの取出しに際して歌詞カードが邪魔にならないように構成した２枚組みディスクの収納ケースを提供する。
【課題を解決するための手段】
【０００８】
本発明に係るディスク収納ケースは２枚を１組として収納することが出来、しかも底部には歌詞カードを収容することが出来る構造と成っている。そこで、該収納ケースはケース本体と蓋体を有し、蓋体はケース本体の側縁に設けた継手を介して開閉可能に取付けられ、ケース本体を被覆することが出来る。そして、本発明の収納ケースは中仕切り板を開閉可能に設け、該中仕切り板はケース本体と蓋体との間に介在している。
【０００９】
この中仕切り板はケース本体との間に底部空間を形成し、この底部空間に歌詞カードなどが収容され、蓋体との間にはディスクが収納される上部空間が設けられている。そこで、仕切り板の中央にはディスクの中央穴に嵌る「ヘソ」が上方に突出して設けられ、蓋体の中央にもディスクの中央穴に嵌る「ヘソ」が下方へ突出して設けられている。２枚のディスクは仕切り板と蓋体にそれぞれ取付けられる。
【００１０】
上記仕切り板は、蓋体と同じく継手を介して開閉可能に取付けられているが、閉じた状態でガタ付かないように、ケース本体に設けた係止片に係止するツメを有し、又開き易いように指掛け部を上方に突出している。
【００１１】
ところで、この収納ケースは店の陳列棚に陳列されることになるが、該収納ケースからディスクが盗まれないように蓋体はロックされている。そこでロック構造としてはロックプレートが使用され、収納ケースに設けた側部開口から該ロックプレートがスライドして挿入され、ロックプレートはケース本体と蓋体に噛み合って係合することが出来る。従って、蓋体は開くことなくケース本体にロックされる。
【００１２】
そして、ロックプレートにはロックツメが設けられ、該ロックツメはロックプレートが収納ケースの開口から挿入した場合に外側に突出し、ケース側に設けた係止部に係止してロックされる。従って、ロックプレートは外れることなくロックされ、勿論、蓋体も開くことはない。そこで、上記係止部からロックツメを外す際には磁石などの解除具が用いられ、磁石の磁気力にてロックツメを引き寄せることが出来るように構成している。
【００１３】
すなわち、磁気力を利用してロックツメを磁石側へ引き寄せて係止部から外し、その状態でロックプレートをスライドして取外し、蓋体を開くことが出来る。ロックプレートにはタグシールが貼着されていて、取外さないで収納ケースを持ち出すならば、出入り口に設置している警報装置が感知して警報を発するようにしている。ここで、本発明はロックプレートを取外す為の解除具として磁石を用いる場合に限定はしない。ロックツメをケース側の係止部から解除できる手段であればよい。
【発明の効果】
【００１４】
本発明に係る収納ケースは、仕切り板を内部に設け、該仕切り板の上方へ突出して設けた「ヘソ」と蓋体の下方へ突出して設けた「ヘソ」にディスクをそれぞれ取付けることが出来る。すなわち、仕切り板と蓋体との上部空間に２枚のディスクが収納される。そして、仕切り板とケース本体の底部との間に形成する底部空間には歌詞カードなどを収容することが出来る。仕切り板にはツメが設けられ、このツメはケース本体の係止片に係止することで、閉じた仕切り板がガタ付くことはない。又、仕切り板に「ヘソ」を設けてディスクを取付ける構造としていることで、収納ケースの厚さを抑えることが出来る。又、ロックプレートを挿入していることで盗難を防止することが出来、さらに継手に鉄心を差し込んで構造とするならば、該継手をカッターで切断しにくくなる。
【実施例】
【００１５】
図１は本発明に係る収納ケースの外観を示す実施例であり、同図の１はケース本体、２は蓋体、３は仕切り板、４はロックプレートをそれぞれ表している。蓋体２はケース本体１の側縁に設けている継手５ａ，５ｂに連結して開閉することが出来ように取付けられ、同じく仕切り板３も継手５ａ，５ｂを介して開閉できるように取付けられている。ここで、上記継手５ａ，５ｂに鉄心１８ａ，１８ｂを軸として取付ける構造とすることで、カッターで継手５ａ，５ｂを切断しにくくなり、ロックプレート４を引き抜かない限り、蓋体２を開くことが困難となる。
【００１６】
すなわち、継手５ａ，５ｂとして肉厚を薄くした構造とする場合には、薄くなった継手５ａ，５ｂにカッターを差し込んで切断することが比較的容易である。しかし、肉厚を薄くすることなく鉄心１８ａ，１８ｂによって継手５ａ，５ｂを構成するならば、該継手５ａ，５ｂの切断が困難となり、盗難防止の上で大きな効果がある。
【００１７】
そこで、仕切り板３を閉じ、蓋体２を閉じてロックプレート４を側部に設けた開口６から挿入するならば、該収納ケースはロックされて蓋体２を開くことが出来ない。そして、ロックプレート４もケースにロックされて解除具を用いない限り外すことが出来なくなる。ロックプレート４にはタグシールが貼着されていて、該ロックプレート４を外さない限り店から持ち出すことが出来ないようになっている。
【００１８】
蓋体２の中央にはヘソ７が設けられ、仕切り板３の中央にもヘソ８が設けられている。ＤＶＤやＣＤなどのディスク中央に設けている穴にヘソ７が嵌って蓋側にディスクが取付けられ、又ヘソ８が中央穴に嵌って仕切り板３に別なディスクが取付けられる。すなわち、蓋体２と仕切り板３にディスクがそれぞれ取付けられる。
【００１９】
そして、ケース本体１の底部には歌詞カードが収容出来るように、仕切り板３を閉じた場合にケース本体１の底部９との間に底部１６空間が形成される。図２は収納ケースにディスク１０とディスク１１、及び歌詞カード１２が収納されている場合の断面を表している。歌詞カード１２は仕切り板３の下側に形成される底部空間１６に収容され、ディスク１０は蓋体２のヘソ７に取付けられ、ディスク１１は仕切り板３のヘソ８に取付けられて上部空間１７に収納される。
【００２０】
図３は収納ケース開閉状態を表している断面図であり、(ａ)は蓋体２及び仕切り板３が開いた状態であり、(ｂ)、(ｃ)は蓋体２及び仕切り板３が閉じている。蓋体２及び仕切り板３は共にケース本体１に設けている継手５を介して開閉可能に取付けられている。そして、該仕切り板３は(ａ)に示しているように、先端にはツメ１３が形成され、ケース本体側には係止片１４を設けている。従って、(ｂ)に示すように、仕切り板３が閉じることでツメ１３は係止片１４に係止して外れないように止着される。
【００２１】
又、仕切り板３の先端には指掛け部１５が上方へ突出して設けられ、該指掛け部１５に指を掛けて仕切り板３を開くことが出来る。図３の(ｂ)、(ｃ)は蓋体２及び仕切り板３が閉じた場合であり、該収納ケースには仕切り板３を境として底部空間１６と上部空間１７が形成され、底部空間１６には図２に示すように歌詞カード１２が収容され、上部空間１７には２枚のディスク１０，１１が収納される。
【００２２】
図４は仕切り板３の先端側一部を表しているが、ツメ１３と指掛け部１５を設けている。ここで、ツメ１３は係止片１４に係止することが出来るように、撓み変形することが出来る。そして、指掛け部１５は図３(ｃ)に示すように、その下端がケース本体１に当り、上端は蓋体２に当って挟まれる。
【００２３】
ここで、ディスク１０，１１の中央穴に嵌るヘソ７，８の形態は限定せず、又ロックプレート４の形態並びにロック機構は限定しないことにする。ロックプレート４は収納ケースに差し込まれることで蓋体が開かないようにロックされ、しかもロックプレートが外れないようにロックされる構造となっている。
【図面の簡単な説明】
【００２４】
【図１】本発明に係る収納ケース。
【図２】収納ケースにディスクと歌詞カードを収納した断面図。
【図３】収納ケースの蓋体と仕切り板の開閉状態。
【図４】仕切り板の先端部の一部。
【符号の説明】
【００２５】
１  ケース本体
２  蓋体
３  仕切り板
４  ロックプレート
５  継手
６  開口
７  ヘソ
８  ヘソ
９  底部
10  ディスク
11  ディスク
12  歌詞カード
13  ツメ
14  係止片
15  指掛け部
16  底部空間
17  上部空間
18  鉄心
【図１】
0004393474.tif 000002
【図２】
0004393474.tif 000003
【図３】
0004393474.tif 000004
【図４】
0004393474.tif 000005